(57)【特許請求の範囲】
【請求項１】
発電設備に供給する海水を取水する取水設備の周囲の水域を囲んでなる取水領域を形成する壁面部、及び当該壁面部の下部に形成され、前記取水領域と前記取水領域外の水域との間で海水を流出入させる流出入部を有するカーテンウォールと、
前記取水設備が取水した海水から異物を除去する除塵機と、
当該異物に含まれるくらげを海に搬送する放流路と、を備えたくらげ放流システムであって、
前記カーテンウォールに、前記取水領域を、前記取水設備の取水口が配置された第１領域と前記取水設備の取水口が配置されていない第２領域とに分割し、前記第１領域と前記第２領域との間のくらげの移動を規制する網状部材を設置し、
前記壁面部は、海底から満潮時の潮位までの高さであり、
前記網状部材は、下部が海底に位置しかつ上部が前記壁面部の上端部よりも上方に位置し、
前記放流路は、前記第２領域にくらげを放流し、
前記第２領域は、前記放流路から放流されたくらげを貯留し、前記第２領域内のくらげは、満潮後の下げ潮によって前記流出入部を介して前記取水領域外に放流されることを特徴とするくらげ放流システム。
【請求項２】
前記放流路に、異物からくらげを分別するフィルタを備えたことを特徴とする請求項１記載のくらげ放流システム。
【請求項３】
前記網状部材は、格子状のフェンスからなることを特徴とする請求項１又は２記載のくらげ放流システム。
【請求項４】
前記第２領域を囲む前記壁面部の上部に、くらげが移動可能な開口部を形成したことを特徴とする請求項１乃至３のいずれか１項記載のくらげ放流システム。
【発明の詳細な説明】
【技術分野】
【０００１】
本発明は、発電設備等に供給する海水から除去した異物に含まれるくらげを海に戻すくらげ放流システムに関する。
【背景技術】
【０００２】
従来、海水を発電設備等に供給する際に、除塵機を用いて、海水に含まれている異物、例えば、海草、小魚、貝類、くらげ等の魚介類を除去している。そして、除塵機によって異物が除去された海水が、発電設備に供給されるようになる。
【０００３】
また、従来、除塵機によって除去されたくらげは、一般廃棄物として扱われている。このため、焼却場等の処分場へ搬入し焼却、カッターポンプにより細断後乾燥、クラゲ処理装置により無害化し放流、といった方法で処分される。しかし、クラゲはほとんどが水分であり、大量に焼却場に搬入しても処理できない。また、カッターポンプにより細断後乾燥するためには、大きな乾燥スペースが必要となり、しかも、乾燥途中に悪臭が発生する。また、クラゲ処理装置により無害化して放流することは、クラゲ処理装置は、設置費用、ランニングコストとも高コストとなる。
【０００４】
そこで、従来、除塵機によって除去されたくらげを、生きたまま海に帰すことにより、くらげの処理に係る費用を低減するという技術が提案されている（特許文献１）。
【先行技術文献】
【特許文献】
【０００５】
【特許文献１】特開２０１０−２７０５６０号公報
【発明の概要】
【発明が解決しようとする課題】
【０００６】
ところで、従来、海水の取水方式として、カーテンウォールを用いた深層取水方式がある。この方式は、臨海地に設けた発電所の前面に位置する入り江をカーテンウォールで囲い、このカーテンウォールの海底側下部に形成された開口から、比較的低温で清浄な海水をカーテンウォールで囲まれた領域内に取り入れて、この領域内の海水を取水して、発電所設備に供給するというものである。
【０００７】
しかし、深層取水方式において、特許文献１のように除塵機によって除去されたくらげを生きたまま海に帰す場合、くらげをカーテンウォールで囲まれた領域に放流するのでは、くらげが再び取水口に進入して除塵機に再び戻ってくる可能性が高くなる。このため、くらげをカーテンウォールで囲まれた領域外に放流する必要がある。しかし、この場合、除塵機によって除去されたくらげをカーテンウォールで囲まれた領域外に搬送するための設備が必要であり、設置費用が高コストとなるおそれがある。
【０００８】
本発明は、深層取水方式によって取水した海水に含まれる異物を除塵機によって除去し、異物に含まれるくらげを生きたまま海に帰すことにより、くらげの処理に係る費用を低減することを実現したくらげ放流システムを提供することを目的とする。
【課題を解決するための手段】
【０００９】
前記目的を達成するため、本発明は、次に記載する構成を備えている。
【００１０】
（１）  発電設備に供給する海水を取水する取水設備の周囲の水域を囲んでなる取水領域を形成する壁面部、及び当該壁面部の下部に形成され、前記取水領域と前記取水領域外の水域との間で海水を流出入させる流出入部を有するカーテンウォールと、前記取水設備が取水した海水から異物を除去する除塵機と、当該異物に含まれるくらげを海に搬送する放流路と、を備えたくらげ放流システムであって、前記カーテンウォールに、前記取水領域を、前記取水設備の取水口が配置された第１領域と前記取水設備の取水口が配置されていない第２領域とに分割し、前記第１領域と前記第２領域との間のくらげの移動を規制する網状部材を設置し、前記壁面部は、海底から満潮時の潮位までの高さであり、前記網状部材は、下部が海底に位置しかつ上部が前記壁面部の上端部よりも上方に位置し、前記放流路は、前記第２領域にくらげを放流し、前記第２領域は、前記放流路から放流されたくらげを貯留し、前記第２領域内のくらげは、満潮後の下げ潮によって前記流出入部を介して前記取水領域外に放流されることを特徴とするくらげ放流システム。
【００１１】
（１）によれば、カーテンウォールによって囲まれた取水領域を、網状部材によって取水設備の取水口が配置された第１領域とそれ以外の第２領域とに分け、取水設備は、第１領域から取水する。取水設備から取水した海水から除塵機によって除去された異物に含まれるくらげは、放流路を介して第２領域に放流される。第２領域においては、放流路を介して放流されたくらげが貯留される。そして、満潮後の下げ潮によって、第２領域内のくらげが、カーテンウォールの流出入部から海に放流される。このように、カーテンウォールを用いた深層取水方式の取水設備によって取水された海水から、除塵機が異物を除去した際に、異物に含まれるくらげを生きたまま海に帰すことにより、くらげの処理に係る費用を低減することが可能になる。
【００１２】
（２）  （１）において、前記放流路に、異物からくらげを分別するフィルタを備えたことを特徴とするくらげ放流システム。
【００１３】
（２）によれば、くらげ以外の異物を第２領域に放流することが低減される。
【００１４】
（３）  （１）又は（２）において、前記網状部材は、格子状のフェンスからなることを特徴とするくらげ放流システム。
【００１５】
（３）によれば、第２領域に貯留されたくらげが第１領域に移動することが規制される一方で、第２領域から第１領域への海水の移動は可能となる。このため、取水設備は、取水領域全体において取水することが可能になる。
【００１６】
（４）  （１）〜（３）において、前記第２領域を囲む前記壁面部の上部に、くらげが移動可能な開口部を形成したことを特徴とするくらげ放流システム。
【００１７】
（４）によれば、壁面部の上部に開口部を形成したことにより、満潮時にカーテンウォールの上端部付近で浮遊しているくらげが、開口部を通って取水領域外に移動し易くなる。これにより、満潮後の下げ潮によって、くらげを第２領域から海洋に効率よく放流させることが可能になる。
【発明の効果】
【００１８】
本発明によれば、深層取水方式によって取水した海水に含まれる異物を除塵機によって除去し、異物に含まれるくらげを生きたまま海に帰すことにより、くらげの処理に係る費用を低減することが可能になる。
【図面の簡単な説明】
【００１９】
【図１】本発明の一実施形態におけるくらげ放流システム１の概要を示す説明図である。
【図２】図１のくらげ放流システム１付近を拡大した図である。
【図３】カーテンウォール１０の構成を示す、図２のＸＸ線の断面図である。
【図４】くらげの移動経路を示す図である。
【図５】カーテンウォール１０の他の構成を示す説明図である。
【発明を実施するための形態】
【００２０】
以下、本発明の実施形態について、図面を参照しながら詳細に説明する。
図１は本発明の一実施形態におけるくらげ放流システム１の概要を示す説明図、図２は図１のくらげ放流システム１付近を拡大した図である。くらげ放流システム１は、発電施設に供給する海水を取水する取水設備５によって海水と一緒に取り込まれたくらげを、再び海に放流するシステムであり、カーテンウォール１０と、網状部材に相当するネット１２と、除塵機１４と、放流路１６とを備えている。
【００２１】
カーテンウォール１０は、発電設備が臨む入り江の水域を囲むように設けられ、カーテンウォール１０によって囲まれた取水領域Ａ内に、比較的きれいな海底付近の海水を導入するためのものである。また、カーテンウォール１０の陸地側には、取水設備５（図１参照）及び除塵機１４が設置されている。
【００２２】
取水設備５は、図１に示すように、取水口５ａ、取水ポンプ５ｂ及び取水管５ｃを備えている。取水口５ａは、取水口５ａには取水管５ｃが連結されており、この取水管５ｃは発電設備に延びている。そして、取水ポンプ５ｂを駆動することによって取水口５ａから海水が取水され、取水された海水は取水管５ｃを通って発電設備の復水器に供給される。ここで復水器とは、例えば、発電機に連結されたタービンを回転させるための蒸気を冷却して復水するものであり、取水設備５によって供給された海水は、蒸気の冷却に用いられる。
【００２３】
ネット１２は、図２に示すように、カーテンウォール１０内に設置され、カーテンウォール１０によって囲まれている取水領域Ａを第１領域Ａ１と第２領域Ａ２に分けるものである。また、ネット１２は、格子状のフェンスからなり、第１領域Ａ１と第２領域Ａ２とにおける海水の移動は可能であるが、くらげの移動は規制される。また、取水口５ａは、第１領域Ａ１に存在して、第２領域Ａ２には存在しない。
【００２４】
除塵機１４は、取水口５ａから取り込んだ海水に含まれている異物を除去するものである。海水に含まれている異物としては、魚介類や海草がほとんどである。特に、夏期においてはくらげが異物として多く含まれる。
【００２５】
放流路１６は、図２に示すように、除塵機１４によって除去された異物を第２領域Ａ２に向けて搬送する水路である。放流路１６には、フィルタに相当する柵１６ａ（図２参照）が設けられており、異物に含まれているくらげは柵１６ａを通過し、他の異物は柵１６ａによって移動が規制される。これにより、除塵機１４によって除去された異物からくらげが分別されて、第２領域Ａ２に放流される。
【００２６】
図３は、カーテンウォール１０の構成を示す、図２のＸＸ線の断面図である。カーテンウォール１０は、壁面部１０ａと流出入部１０ｂを備えている。壁面部１０ａは、円柱体を積層することによって構成されている。また、壁面部１０ａは、取水設備の周囲の水域を囲むように設置されており、取水領域Ａ（図２参照）を形成している。
【００２７】
流出入部１０ｂは、壁面部１０ａにおける海底近くの円柱体を抜き取ることによって形成された貫通孔である。この流出入部１０ｂを介して海底の深層水が取水領域Ａ内に流入する。取水領域Ａの海水は、取水口５ａ（図２参照）から取水されて発電設備に供給されるが、取水した分の海水が流出入部１０ｂを介して取水領域Ａ内に流入する。
【００２８】
また、カーテンウォール１０は、海底から発電設備を建設した地域における平均満潮潮位までの高さに設定されている。また、ネット１２は、海底からカーテンウォール１０よりも高い位置で仕切っている。このため、カーテンウォール１０によって海洋から取水領域Ａ内へのくらげの侵入が規制される。
【００２９】
また、ネット１２の高さは、カーテンウォール１０の上端よりも高く設定されている。このため、図２に示す第２領域Ａ２から第１領域Ａ１へのくらげの移動、あるいはその逆の移動が、ネット１２によって規制される。なお、ネット１２に貝や海草が付着して繁殖する可能性があるため、ネット１２は交換可能であることが望ましい。
【００３０】
次に、図４を参照しながら、くらげの移動経路について説明する。図４（ａ）は、干潮時から満潮に向かう上げ潮の時間帯におけるくらげ放流システム１の状態、図４（ｂ）は、満潮時から干潮に向かう下げ潮の時間帯におけるくらげ放流システム１の状態を示す。
【００３１】
取水口５ａから取水された海水に含まれる異物は除塵機１４によって除去される。除塵機１４によって除去された異物は、放流路１６に移される。放流路１６に移送された異物は、水流によって第２領域Ａ２側に送られる。ここで、放流路１６の底面には凹凸が形成されており、例えば、貝類や小魚はこの凹凸によって移動が規制されるが、くらげのような軟体動物は凹凸によって移動が規制され難いため、異物が放流路１６を流れている間に、くらげと他の魚介類とが分別される。そして、異物が柵１６ａに到達した際に、異物に含まれているくらげは、柵１６ａを通り抜けて第２領域Ａ２に放流される。他の魚介類は、柵１６ａがフィルタとなって移動が規制され、柵１６ａ付近に蓄積される。なお、柵１６ａ付近に蓄積された異物は、作業員によって放流路１６から適宜除去される。
【００３２】
第２領域Ａ２に放流されたくらげは、図４（ａ）に示すように、満潮になるまでの時間帯において、第２領域Ａ２に生きたまま貯留される。そして、満潮時を過ぎて下げ潮が始まった頃には、取水領域Ａ内に入ってきた波と下げ潮とによって、くらげがカーテンウォール１０の流出入部１０ｂから海に放流される。
【００３３】
なお、取水領域Ａから外部の海域に放流されたくらげは、下げ潮によってカーテンウォール１０から離れる方向に移動する。このため、取水領域Ａから外部の海域に放流されたくらげが、カーテンウォール１０の流出入部１０ｂを通って再び取水領域Ａに侵入することは少ない。
【００３４】
以上説明したように構成された本実施形態によれば、カーテンウォール１０の壁面部１０ａによって囲まれた取水領域Ａを、ネット１２によって取水設備５の取水口５ａが配置された第１領域Ａ１とそれ以外の第２領域Ａ２とに分け、取水設備５は、第１領域Ａ１から取水する。取水設備５から取水した海水から除塵機１４によって除去された異物に含まれるくらげは、放流路１６を介して第２領域Ａ２に放流される。第２領域Ａ２においては、放流路１６を介して放流されたくらげが貯留される。そして、満潮後の下げ潮によって、第２領域Ａ２内のくらげが、カーテンウォール１０の流出入部１０ｂを通って取水領域Ａ外の海域に放流される。このように、カーテンウォール１０を用いた深層取水方式の取水設備によって取水された海水から、除塵機１４が異物を除去した際に、異物に含まれるくらげを生きたまま海に帰すことにより、くらげの処理に係る費用を低減することが可能になる。
【００３５】
また本実施形態によれば、放流路１６に、異物からくらげを分別する柵１６ａを備えたことにより、くらげ以外の異物を第２領域Ａ２に放流することが低減される。
【００３６】
また本実施形態によれば、ネット１２は、格子状のフェンスからなることにより、第２領域Ａ２に貯留されたくらげが第１領域Ａ１に移動することが規制される一方で、第２領域Ａ２から第１領域Ａ１への海水の移動は可能となる。このため、取水設備５は、取水領域Ａ全体において取水することが可能になる。
【００３７】
以上、本発明の実施形態について説明したが、本発明は、上述した実施形態に限るものではない。例えば、本実施形態に係るカーテンウォール１０は、円柱体を敷き詰めた構成であるが、深層取水方式に用いるカーテンウォールであれば他の構成であってもよい。また、カーテンウォール１０における第２領域Ａ２を囲む壁面部１０ａの上部に、くらげが移動可能な開口部を形成してもよい。
【００３８】
具体的には、図５（ａ）に示すように、カーテンウォール１０の上部に、長手方向が水平方向に延びる矩形の開口部１０ｃを形成する。あるいは、図５（ｂ）に示すように、カーテンウォール１０の上部に、長手方向が水平方向に延びる凹状の開口部１０ｃを形成する。ここで、開口部１０ｃの縦幅は、満潮時後の下げ潮時において、くらげを通過させたい時間帯に相当する潮位の変化分に設定するとよい。潮位の変化は、地域や季節によって異なるが、例えば、１時間に１５ｃｍ程度変化するのであれば、カーテンウォール１０の上端から開口部１０ｃの底面までの縦幅Ｈを４５ｃｍに設定することにより、満潮後３時間は、下げ潮によって第２領域Ａ２内のくらげを開口部１０ｃ介して放流し易い状態となる。
【００３９】
このように構成することにより、カーテンウォール１０の上端部付近で浮遊しているくらげが開口部１０ｃを通って取水領域Ａ外に移動し易くなり、満潮後の下げ潮によって、くらげを第２領域Ａ２から海洋に効率よく移動させることが可能になる。
【符号の説明】
【００４０】
１  くらげ放流システム
５  取水設備
５ａ  取水口
５ｂ  取水ポンプ
５ｃ  取水管
１０  カーテンウォール
１０ａ  壁面部
１０ｂ  流出入部
１０ｃ  開口部
１２  ネット
１３ａ  柵
１４  除塵機
１６  放流路
１６ａ  柵
【図１】
0005335046.tif 000002
【図２】
0005335046.tif 000003
【図３】
0005335046.tif 000004
【図４】
0005335046.tif 000005
【図５】
0005335046.tif 000006